(57)【要約】【課題】ろう材の廻り過ぎによる冷媒分配配管の詰まりや、ろう材の廻り不足による冷媒漏れの発生等を確実に防止し、冷媒分配配管のろう付けを安定化することができる簡素な構成の冷媒ディストリビュータを提供することを目的とする。【解決手段】冷媒供給配管と接続され、該冷媒供給配管から供給される冷媒を複数の冷媒分配配管に分配するディストリビュータ本体２と、該ディストリビュータ本体２に穿設されている複数の冷媒分配孔３と、該冷媒分配孔３に一端が挿入され、ディストリビュータ本体２にろう付け接合される複数の冷媒分配配管と、を備え、冷媒分配孔３は、冷媒分配配管の一端が嵌め合いにより挿入される小径部１１と、該冷媒分配孔３の配管挿入側に形成され、小径部１１よりも所定寸法だけ径が大きくされた大径部１２とからなる段付孔とされている。【選択図】図３
2013113557.tif 000002
【特許請求の範囲】
【請求項１】
冷媒供給配管と接続され、該冷媒供給配管から供給される冷媒を複数の冷媒分配配管に分配するディストリビュータ本体と、
該ディストリビュータ本体に穿設されている複数の冷媒分配孔と、
該冷媒分配孔に一端が挿入され、前記ディストリビュータ本体にろう付け接合される複数の前記冷媒分配配管と、を備え、
前記冷媒分配孔は、前記冷媒分配配管の一端が嵌め合いにより挿入される小径部と、該冷媒分配孔の配管挿入側に形成され、前記小径部よりも所定寸法だけ径が大きくされた大径部とからなる段付孔とされていることを特徴とする冷媒ディストリビュータ。
【請求項２】
前記冷媒分配孔における前記小径部および前記大径部の長さ方向寸法は、前記小径部の方が前記大径部に比べて数倍長くされていることを特徴とする請求項１に記載の冷媒ディストリビュータ。
【請求項３】
前記冷媒分配孔の前記小径部の先端部位に、オリフィス部が設けられていることを特徴とする請求項１または２に記載の冷媒ディストリビュータ。
【請求項４】
前記冷媒分配孔は、前記ディストリビュータ本体の外周領域に沿って円周上等間隔で複数個穿設されており、その中心領域に円筒状の凹部が設けられていることを特徴とする請求項１ないし３のいずれかに記載の冷媒ディストリビュータ。
【発明の詳細な説明】
【技術分野】
【０００１】
本発明は、例えば多サーキットのフィン＆チューブ形熱交換器等に対して、冷媒を分配して供給する冷媒ディストリビュータに関するものである。
【背景技術】
【０００２】
空気調和機や各種冷凍機等に組み込まれる多サーキットのフィン＆チューブ形熱交換器においては、各々のサーキットに対して冷媒を均一に分配して供給する必要があり、このため、冷媒ディストリビュータが用いられている。このような冷媒ディストリビュータとして、冷媒供給配管が接続されるディストリビュータ本体に複数の冷媒分配孔を設け、該冷媒分配孔に対して複数の冷媒分配配管（キャピラリチューブ）の一端を挿入してろう付け接合したものが知られている（例えば、特許文献１参照）。
【０００３】
この特許文献１に示された冷媒ディストリビュータは、ディストリビュータ本体に設けられた複数の冷媒分配孔に対し、冷媒分配配管の一端を挿入してろう付けした場合、余剰のろう材が冷媒分配配管やディストリビュータ本体内に設けられているオリフィスに詰まる虞があるので、それを防止するために、オリフィスを別部材として冷媒分配孔内に挿入設置するとともに、そのオリフィスに配管接続側に突出する凸形状部を設け、該凸形状部の外周面と冷媒分配配管の内周面との間にろう溜まりを形成したものである。
【先行技術文献】
【特許文献】
【０００４】
【特許文献１】特開２０１１−２１７３３号公報
【発明の概要】
【発明が解決しようとする課題】
【０００５】
しかしながら、上記特許文献１に示されるように、ディストリビュータ本体の冷媒分配孔内にオリフィス部材を挿入し、そのオリフィス部材に設けた凸形状部と冷媒分配配管の内周面との間にろう溜まりを形成したものでは、オリフィスを別部材として構成し、それを冷媒分配孔内に挿入設置しなければならず、部品点数が増加して構造が複雑化するとともに、組み立て工数が増加し、ひいてはコストアップを招く等の課題があった。
【０００６】
本発明は、このような事情に鑑みてなされたものであって、ろう材の廻り過ぎによる冷媒分配配管の詰まりや、ろう材の廻り不足による冷媒漏れの発生等を確実に防止し、冷媒分配配管のろう付けを安定化することができる簡素な構成の冷媒ディストリビュータを提供することを目的とする。
【課題を解決するための手段】
【０００７】
上記した課題を解決するために、本発明の冷媒ディストリビュータは、以下の手段を採用する。
すなわち、本発明にかかる冷媒ディストリビュータは、冷媒供給配管と接続され、該冷媒供給配管から供給される冷媒を複数の冷媒分配配管に分配するディストリビュータ本体と、該ディストリビュータ本体に穿設されている複数の冷媒分配孔と、該冷媒分配孔に一端が挿入され、前記ディストリビュータ本体にろう付け接合される複数の前記冷媒分配配管と、を備え、前記冷媒分配孔は、前記冷媒分配配管の一端が嵌め合いにより挿入される小径部と、該冷媒分配孔の配管挿入側に形成され、前記小径部よりも所定寸法だけ径が大きくされた大径部とからなる段付孔とされていることを特徴とする。
【０００８】
本発明によれば、ディストリビュータ本体に穿設され、冷媒分配配管の一端が挿入されてろう付け接合される複数の冷媒分配孔が、冷媒分配配管の一端が嵌め合いにより挿入される小径部と、該冷媒分配孔の配管挿入側に形成され、小径部よりも所定寸法だけ径が大きくされた大径部とからなる段付孔とされているため、冷媒分配配管の一端を冷媒分配孔に挿入してろう付け接合する際、冷媒分配孔の小径部および大径部において、その段部を境に小径部側に対してろう材を廻り難くし、大径部に対してろう材を廻り易くすることができる。従って、ろう材の廻り過ぎによる冷媒分配配管の詰まりや、ろう材の廻り不足が原因で発生する隙間からの冷媒漏れ等を確実に防止し、冷媒分配配管のろう付け接合を安定化することができる簡素な構成のディストリビュータを提供することができる。
【０００９】
また、本発明の冷媒ディストリビュータは、上記の冷媒ディストリビュータにおいて、前記冷媒分配孔における前記小径部および前記大径部の長さ方向寸法は、前記小径部の方が前記大径部に比べて数倍長くされていることを特徴とする。
【００１０】
本発明によれば、冷媒分配孔における小径部および大径部の長さ方向寸法が、小径部の方が大径部に比べて数倍長くされているため、ろう付け時に、小径部側に対してろう材をより廻り難くし、そのろう材を大径部側に集中的に廻してろう付けすることができる。従って、ろう材の廻り過ぎによる配管詰まりや、ろう材の廻り不足が原因で発生する隙間からの冷媒漏れ等を確実に防止することができ、ディストリビュータの品質と信頼性の向上を図ることができる。
【００１１】
さらに、本発明の冷媒ディストリビュータは、上述のいずれかの冷媒ディストリビュータにおいて、前記冷媒分配孔の前記小径部の先端部位に、オリフィス部が設けられていることを特徴とする。
【００１２】
本発明によれば、冷媒分配孔の小径部の先端部位に、オリフィス部が設けられているため、冷媒供給配管からディストリビュータ本体に供給された冷媒を、ディストリビュータ本体に接続されている複数の冷媒分配配管に対して、オリフィス部を介在させることによって均等圧力で分配することができる。従って、複数の冷媒分配配管に対する冷媒の分配を均一化することができる。
【００１３】
さらに、本発明の冷媒ディストリビュータは、上述のいずれかの冷媒ディストリビュータにおいて、前記冷媒分配孔は、前記ディストリビュータ本体の外周領域に沿って円周上等間隔で複数個穿設されており、その中心領域に円筒状の凹部が設けられていることを特徴とする。
【００１４】
本発明によれば、冷媒分配孔が、ディストリビュータ本体の外周領域に沿って円周上等間隔で複数個穿設されており、その中心領域に円筒状の凹部が設けられているため、ディストリビュータ本体の中心領域に円筒状の凹部を設けることにより、冷媒分配孔の外側領域の肉厚と内側領域の肉厚とを略同等とし、冷媒分配配管の一端を冷媒分配孔に挿入してろう付け接合する際、各冷媒分配孔の廻りを全周に亘り略均一にバランスよく加熱し、ろう付けすることができる。従って、ろう付け性の向上、安定化を図ることができるとともに、真鍮等によって構成されるディストリビュータ本体の使用材料量を低減し、コスト低減を図ることができる。
【発明の効果】
【００１５】
本発明によると、冷媒分配配管の一端を冷媒分配孔に挿入してろう付け接合する際、冷媒分配孔の小径部および大径部において、その段部を境に小径部側に対してろう材を廻り難くし、大径部に対してろう材を廻り易くすることができるため、ろう材の廻り過ぎによる冷媒分配配管の詰まりや、ろう材の廻り不足が原因で発生する隙間からの冷媒漏れ等を確実に防止し、冷媒分配配管のろう付け接合を安定化することができる簡素な構成のディストリビュータを提供することができる。
【図面の簡単な説明】
【００１６】
【図１】本発明の一実施形態に係る冷媒ディストリビュータの外観図である。
【図２】図１に示す冷媒ディストリビュータの縦断面図である。
【図３】図２に示すディストリビュータ本体の縦断面図である。
【発明を実施するための形態】
【００１７】
以下に、本発明の一実施形態について、図１ないし図３を参照して説明する。
図１には、本発明の一実施形態に係る冷媒ディストリビュータの外観図が示され、図２には、その縦断面図、図３には、ディストリビュータ本体の縦断面図が示されている。
冷媒ディストリビュータ１は、例えば、多サーキットのフィン＆チューブ形熱交換器等の各サーキットに対して、冷媒を均一に分配して供給するためのものであり、複数の冷媒分配孔３が穿設されているディストリビュータ本体２と、該ディストリビュータ本体２を収容保持するケース部材４と、ディストリビュータ本体２の複数の冷媒分配孔３にろう付け接合される複数本の冷媒分配配管（キャピラリチューブ）５とから構成されている。
【００１８】
ディストリビュータ本体２を収容保持するケース部材４は、冷媒供給配管６がろう付け接続される配管接続部７と、該配管接続部７に連続する外径が急拡大されたディストリビュータ本体２を収容保持する大径の収容部８とが一体形成された筒状の部材であり、配管接続部７に対して冷媒供給配管６がろう付け接続されるとともに、大径の収容部８の内周にディストリビュータ本体２の外周部が嵌合挿入され、ろう付け等によって密着シールされるように構成されている。
【００１９】
ディストリビュータ本体２は、例えば、真鍮等の円筒状筒体９で構成されており、その外周領域には、円周上に等間隔で複数個（例えば、１２個）の冷媒分配孔３が穿設されている。冷媒分配孔３は、貫通孔であり、その一端部位には、オリフィス部１０が設けられている。更に、この冷媒分配孔３は、オリフィス部１０に連続して、冷媒分配配管（キャピラリチューブ）５が嵌め合いにより挿入可能とされた小径部１１と、該冷媒分配孔３の配管挿入側に形成され、小径部１１よりも所定寸法だけ径が大きくされた大径部１２とからなる段付孔とされている。
【００２０】
また、上記冷媒分配孔３において、小径部１１と大径部１２との長さ方向寸法（孔軸線方向寸法）は、大径部１２の長さに対して、小径部１１の長さの方が数倍（例えば、５〜６倍）長くされた構成とされており、冷媒分配配管５の一端部を挿入してろう付け接合する際、ろう材が大径部１２と冷媒分配配管５の外周とで形成される隙間に集中し、冷媒分配配管５の先端側に廻り難い構成とされている。
【００２１】
なお、冷媒分配孔３の大径部１２と冷媒分配配管５の外周とで形成される隙間は、概ね０．３ｍｍ程度とされ、全周にろう材が廻り易い隙間とされている。また、小径部１１と大径部１２とからなる段付孔とされた冷媒分配孔３のオリフィス部１０を除く孔軸線方向長さは、例えば２０ｍｍ程度とされている。その中で小径部１１の長さが１７ｍｍ、大径部１２の長さが３ｍｍとされており、この大径部１２において全周にろう材を廻してろう付けすることにより、十分にガス漏れを阻止することができる。
【００２２】
さらに、ディストリビュータ本体２には、外周側領域に、円周上等間隔で複数個（本実施形態の場合は、１２個）の冷媒分配孔３を穿設しているが、その中心側領域に、円筒状の凹部１３を設けた構成としている。これによって、図３に示されるように、冷媒分配孔３の外側領域の肉厚と内側領域の肉厚とが略同等の肉厚とされるようにしている。
【００２３】
冷媒分配配管５は、キャピラリチューブと称されている細管であり、それぞれ１２本の細管の一端部が、ディストリビュータ本体２の冷媒分配孔３の小径部１１の先端まで挿入され、冷媒分配孔３の大径部１２位置において、全周がディストリビュータ本体２に対してろう付け接合されるようになっている。この冷媒分配配管５の他端部は、多サーキットのフィン＆チューブ形熱交換器の各サーキットの冷媒配管に接続され、これにより各サーキットに対して冷媒を均一に分配して供給する機能を担っている。
【００２４】
以上に説明の構成により、本実施形態によれば、以下の作用効果を奏する。
上記の冷媒ディストリビュータ１において、冷媒供給配管６からケース部材４内に供給された冷媒は、ケース部材４に収容保持されているディストリビュータ本体２に穿設されている複数の冷媒分配孔３を介して、各冷媒分配孔３に接続されている複数本の冷媒分配配管５に分配され、該冷媒分配配管５を通して多サーキットのフィン＆チューブ形熱交換器の各サーキットへと供給される。
【００２５】
複数の冷媒分配孔３に対する冷媒の分配に際して、各冷媒分配孔３の入口部にオリフィス部１０が設けられているため、このオリフィス部１０を介在させることによって各冷媒分配孔３に均等圧力で冷媒を分配することができる。従って、複数本の冷媒分配配管５に対して冷媒を均一に分配することができる。
【００２６】
一方、ディストリビュータ本体２に接続されている複数本の冷媒分配配管５は、一端を冷媒分配孔３に挿入し、ろう付け接合することによって接続されるが、このろう付けの際に注意すべき点は、ろう材が廻り過ぎることによって冷媒分配配管５の先端やオリフィス部１０に詰まったり、あるいはろう材の廻り不足によって微小隙間が生じ、ガス漏れが発生したりすることである。
【００２７】
しかるに、本実施形態では、冷媒分配配管５の一端が挿入されてろう付け接合される冷媒分配孔３を、冷媒分配配管５の一端が嵌め合いにより挿入される小径部１１と、冷媒分配孔３の配管挿入側に形成され、小径部１１よりも所定寸法だけ径が大きくされた大径部１２とからなる段付孔としている。このため、冷媒分配配管５の一端を冷媒分配孔３に挿入してろう付け接合する際、冷媒分配孔３の小径部１１および大径部１２において、その段部を境に小径部１１側に対してろう材を廻り難くし、大径部１２に対してろう材を廻り易くすることができる。
【００２８】
これによって、ろう材が廻り過ぎることによる冷媒分配配管５やオリフィス部１０の詰まりや、ろう材の廻り不足が原因で発生する隙間からの冷媒漏れ等を確実に防止し、冷媒分配配管５のろう付け接合を安定化することができるとともに、冷媒分配孔３を段付孔とするだけでよく、新たな部品等の追加することなく、ろう付けを安定化できる簡素な構成の冷媒ディストリビュータ１を提供することができる。
【００２９】
また、上記冷媒分配孔３における小径部１１および大径部１２の長さ方向寸法を、小径部１１の方の長さを大径部１２の長さに比べて数倍長くした構成としているため、ろう付け時に、小径部１１側に対してろう材をより廻り難くし、そのろう材を大径部１２側に集中的に廻してろう付けすることができる。これにより、ろう材の廻り過ぎによる配管あるいはオリフィス部の詰まりや、ろう材の廻り不足が原因で発生する隙間からの冷媒漏れ等をより確実に防止することが可能となり、冷媒ディストリビュータ１の品質と信頼性を一段と向上することができる。
【００３０】
さらに、本実施形態においては、冷媒分配孔３をディストリビュータ本体２の外周領域に沿って円周上等間隔で複数個穿設し、その中心領域に円筒状の凹部１３を設けた構成としている。このように、ディストリビュータ本体２の中心領域に円筒状の凹部１３を設けることによって、冷媒分配孔３の外側領域の肉厚と内側領域の肉厚とを略同等とし、冷媒分配配管５の一端を冷媒分配孔３に挿入してろう付け接合する際、各冷媒分配孔３の廻りを全周に亘り略均一にバランスよく加熱し、ろう付けすることができる。
【００３１】
このため、冷媒分配配管５を接合する際のろう付け性の更なる向上、安定化を図ることができるとともに、真鍮等によって構成されるディストリビュータ本体２の使用材料量を低減し、コスト低減を図ることができる。
【００３２】
なお、本発明は、上記実施形態にかかる発明に限定されるものではなく、その要旨を逸脱しない範囲において、適宜変形が可能である。例えば、上記実施形態では、ディストリビュータ本体２とケース部材４とを別体とした例について説明したが、両者を一体化した構成のディストリビュータ本体を用いたものとしてもよい。また、冷媒分配孔３の数や冷媒分配配管５の本数は、適宜変更されることは云うまでもない。
【符号の説明】
【００３３】
１  冷媒ディストリビュータ
２  ディストリビュータ本体
３  冷媒分配孔
５  冷媒分配配管
６  冷媒供給配管
１０  オリフィス部
１１  小径部
１２  大径部
１３  凹部
【図１】
2013113557.tif 000003
【図２】
2013113557.tif 000004
【図３】
2013113557.tif 000005